(57)【要約】      （修正有）【課題】様々なオブジェクトが低コストで容易に交換することができ、オブジェクトの回転および支持を安定的に行うことができる万華鏡を提供する。【解決手段】先端に開口部１１ａが形成され、後端に覗き孔が穿設された万華鏡本体１１と、万華鏡本体１１内に収容され、複数の鏡面が向き合うように組み合わされた鏡筒１２と、万華鏡本体１１に、開口部１１ａが対面するように回転可能に取り付けられ、透光性を有する一対の保持板１８、１９と、一対の保持板１８、１９間に挟持され、模様が付されるとともに、透光性を有するオブジェクトとを具備してなる。【選択図】図１
0003177812.tif 000002
【実用新案登録請求の範囲】
【請求項１】
先端に開口部が形成され、後端に覗き孔が穿設された万華鏡本体と、
前記万華鏡本体内に収容され、複数の鏡面が向き合うように組み合わされた鏡筒と、
前記万華鏡本体に、前記開口部が対面するように回転可能に取り付けられ、透光性を有する一対の保持板と、
前記一対の保持板間に挟持され、模様が付されるとともに、透光性を有するオブジェクトと、
を具備したことを特徴とする万華鏡。
【請求項２】
前記オブジェクトは、薄紙からなることを特徴とする請求項１に記載の万華鏡。
【請求項３】
前記保持板の中心に軸孔が穿設され、前記万華鏡本体に支軸が回転可能に設けられ、前記保持板は、前記軸孔に貫通する前記支軸にナット止めされたことを特徴とする請求項１または２に記載の万華鏡。
【請求項４】
前記保持板の中心に穿設された軸孔に捩子部が螺設され、前記万華鏡本体に支軸が回転可能に設けられ、前記保持板は、前記軸孔に貫通する前記支軸に捩子止めされたことを特徴とする請求項１または２に記載の万華鏡。
【請求項５】
前記支軸の先端は、細く鋭角に形成されたことを特徴とする請求項３または４に記載の万華鏡。
【請求項６】
前記支軸の軸周りに、前記支軸を回転する回転補助部が形成されたことを特徴とする請求項５に記載の万華鏡。
【請求項７】
前記回転補助部は、多角柱状に形成されたことを特徴とする請求項６に記載の万華鏡。
【考案の詳細な説明】
【技術分野】
【０００１】
本考案は、筐体内の鏡に写し出され、種々変化する模様を見ることができる万華鏡に関する。
【背景技術】
【０００２】
一般に、万華鏡は、細長い複数枚の平面鏡の鏡面が内側に向けて収容され、多重に反射させた模様の変化を覗き孔から観賞するものであり、平面鏡による反射現象を巧みに利用した玩具として知られている。
【０００３】
従来、この種の万華鏡としては、筒体の長手方向後端に覗き孔が穿設され、前端に模様が施され、透光性と剛性を有する円盤が着脱可能に支持されるとともに、円盤に穿設された中心孔に支軸が通され、円盤を回転自在に支持したものがある（例えば、特許文献１参照）。
【０００４】
また、中心に軸孔を有し、模様が付され、かつ透光性ガラス、プラスチック製等の剛性を有するオブジェクトが、筒体の先端に設けられた支軸に回転かつ交換可能に支持され、オブジェクトの上端部を指等で押えながら動かすことにより、オブジェクトを回転させるものがある（例えば、特許文献２参照）。
【先行技術文献】
【特許文献】
【０００５】
【特許文献１】特開２００４−３５４９２６号公報
【特許文献２】特開２００３−００５１２５号公報
【考案の概要】
【考案が解決しようとする課題】
【０００６】
しかしながら、従来の万華鏡では、オブジェクトが筒体に回転かつ交換可能に直止めされる構造であるため、オブジェクトに適度の剛性が要求されるうえ、オブジェクトの中心に支軸を通す軸孔を穿設する必要がある等、製作が面倒であり、様々なオブジェクトの提供が困難であるという事情がある。
【０００７】
また、オブジェクトは、その中心の一点で支持されるため、安定性が悪いうえ、使用時には、オブジェクトを直接回転させるので、繰り返し使用によるゆがみ等の変形や損傷を招くという事情がある。
【０００８】
本考案は、上記のような事情に鑑みてなされたものであって、その目的とするところは、様々なオブジェクトが低コストで容易に交換することができ、オブジェクトの回転および支持を安定的に行うことができる万華鏡を提供することにある。
本考案の上記ならびにその他の目的と新規な特徴は、本明細書の記述および添付図面から明らかになるであろう。
【課題を解決するための手段】
【０００９】
上記目的を達成すべく、本考案は、先端に開口部（１１ａ）が形成され、後端に覗き孔（１１ｂ）が穿設された万華鏡本体（１１）と、前記万華鏡本体（１１）内に収容され、複数の鏡面が向き合うように組み合わされた鏡筒（１２）と、前記万華鏡本体（１１）に、前記開口部（１１ａ）が対面するように回転可能に取り付けられ、透光性を有する一対の保持板（１８、１９）と、前記一対の保持板（１８、１９）間に挟持され、模様が付されるとともに、透光性を有するオブジェクト（２１）とを具備したことを特徴とする。
【００１０】
これにより、オブジェクト（２１）は、一対の保持板（１８、１９）間に挟持されるので、繰り返し使用による変形や損傷が回避され、交換を容易に行うことができる。
また、透光性を有する材料であれば、形状や厚さに制約されることなく、特別の加工を施すこともなく、様々な模様のオブジェクト（２１）が低コストで容易に得られる。
【００１１】
好ましい態様としては、前記オブジェクト（２１）は、薄紙からなる。
これにより、オブジェクト（２１）の加工が容易になる。
【００１２】
上記態様では、前記保持板（１８、１９）の中心に軸孔（１８ａ、１９ａ）が穿設され、前記万華鏡本体（１１）に支軸（１５）が回転可能に設けられ、前記保持板（１８、１９）は、前記軸孔（１８ａ、１９ａ）に貫通する前記支軸（１５）にナット（２０）止めされる。
これにより、オブジェクト（２１）は、ナット（２０）を締めることにより、一対の保持板（１８、１９）間に安定的に挟持され、ナット（２０）の脱着により容易に交換される。
【００１３】
上記態様では、前記保持板（２４）の中心に穿設された軸孔（２４ａ）に捩子部（２４ｂ）が螺設され、前記万華鏡本体（１１）に支軸（１５）が回転可能に設けられ、前記保持板（２４）は、前記軸孔（２４ａ）に貫通する前記支軸（１５）に捩子止めされる。
これにより、オブジェクト（２１）は、保持板（２４）の捩子による進退移動により、装着（挟持）され、交換が容易に行われる。
【００１４】
上記態様では、前記支軸（１５）の先端は、細く鋭角に形成される。
これにより、オブジェクト（２１）は、支軸（１５）にスムーズに突き通され、支軸（１５）に支持される。
【００１５】
上記態様では、前記支軸（１５）の軸周りに、前記支軸（１５）を回転する回転補助部（１４）が形成される。
これにより、回転補助部（１４）を指等で押えながら周方向に回転すると、オブジェク（２１）を回転することができる。即ち、オブジェクト（２１）に直接触れることなく、オブジェクト（２１）の回転がスムーズに行われ、繰り返し使用による変形や損傷が回避される。
【００１６】
上記態様では、前記回転補助部（１４）は、多角柱状に形成される。
これにより、回転補助部（１４）の回転時は、多角柱の角部（１４ａ）に指が掛かり、回転力の付与が確実に行われ、オブジェクト（２１）をスムーズに回転することができる。
【００１７】
また、当該多角柱の面部（１４ｂ）を指の腹で押さえれば、回転補助部（１４）の回転が容易に止められ、オブジェクト（２１）の回転を停止することができる。
【考案の効果】
【００１８】
本考案の万華鏡によれば、様々なオブジェクトが低コストで容易に交換することができ、オブジェクトの回転および支持を安定的に行うことができる。また、繰り返し使用による変形や損傷を防止することができる。
【図面の簡単な説明】
【００１９】
【図１】本考案の一実施の形態に係る万華鏡の斜視図である。
【図２】図１の万華鏡の要部側面図である。
【図３】図１の万華鏡の正面図である。
【図４】オブジェクトの取り付け構造を示す分解斜視図である。
【図５】回転補助部の模式図である。
【図６】図３のＡ−Ａ断面図である。
【図７】保持板の変形例を示す斜視図である。
【考案を実施するための形態】
【００２０】
以下、本考案の万華鏡に係る一実施の形態を図面に基づいて説明する。ここで、図１は、万華鏡の斜視図である。また、図２は、万華鏡の要部側面図を示す。なお、実施の形態を説明するに当たって、同一機能を奏するものは同じ符号を付して説明する。
【００２１】
図１から図３において、万華鏡１は、アクリル樹脂、その他のプラスチック、紙または金属等からなる中空四角柱形の万華鏡本体１１を有する。この万華鏡本体１１の先端には、開口部１１ａが形成され、後端には、覗き孔１１ｂが穿設されている。
【００２２】
開口部１１ａおよび覗き孔１１ｂには、透明ガラス、透明アクリルまたは透明プラスチック製の平板２２、２３が設けられ、ほこり等の侵入が防止される。なお、覗き孔１１ｂには、平板２３に代えて、凸レンズを設けてもよい。
【００２３】
万華鏡本体１１の内部には、ガラス、アクリル樹脂製の鏡筒１２が収容されている。この鏡筒１２は、細長矩形状の平面鏡１２ａおよびこの平面鏡１２ａより幅広で細長矩形状に形成された一対の平面鏡１２ｂの鏡面を、内側に向けて二等辺三角形状に組合わせて構成されている。この場合、鏡筒１２をテーパードの二等辺三角形状に構成してもよい。
【００２４】
万華鏡本体１１の先端寄りの上部角部には、四角柱形の切欠き部１３が形成され、この切欠き部１３内には、回転補助部１４が配置されている。この回転補助部１４は、多面体、例えば六角柱状に形成され、切欠き部１３との間に若干のクリアランスを有するように、支軸１５により回転可能に支持されている。
【００２５】
支軸１５の先端部は、切欠き部１３から万華鏡本体１１の先端にかけて回転可能に挿通され、万華鏡本体１１の先端より前方に突出して、捩子部１５ａと細く鋭角に形成された尖端部１５ｂを有している。そして、支軸１５の後端部は、切欠き部１３に穿設された受穴１６に回転可能に支持されている。
【００２６】
支軸１５の突出部には、六角ナット１７、透光性を有する一対の保持板１８、１９、蝶ナット２０が順次配置されている。保持板１８、１９は、透明ガラスまたは透明アクリル材を円盤状に形成したものであり、その中心に軸孔１８ａ、１９ａがそれぞれ穿設され、これら軸孔１８ａ、１９ａには、支軸１５が嵌挿されている。
【００２７】
保持板１８、１９間には、オブジェクト２１が挟まれ、この状態で、蝶ナット２０が締結されている。こうして、保持板１８、１９およびオブジェクト２１は、蝶ナット２０と六角ナット１７間で締め付けられ、オブジェクト２１が保持板１８、１９により挟持される。
【００２８】
オブジェクト２１は、透光性を有する薄紙からなり、表面に模様２１ａが付され、模様２１ａには塗装や印刷等によって色彩が施されている。なお、模様２１ａは、幾何学模様、風景、花、動物、人物等のデザインであり、オブジェクト２１は、光を透過するものであれば、雑誌や手書きの切片等も使用される。
【００２９】
図４および図５において、オブジェクト２１を万華鏡本体１１に装着する際は、先ず六角ナット１７を支軸１５に螺合しておき、保持板１８の軸孔１８ａに支軸１５を貫通する。
その後、オブジェクト２１の中心部に支軸１５が突き通される。その際、支軸１５の尖端部１５ｂが、オブジェクト２１を突き破り、支軸１５の貫通をスムーズにする。
【００３０】
そして、保持板１９の軸孔１９ａに支軸１５が貫通され、保持板１８、１９間にオブジェクト２１が挟み付けられる。
しかる後、オブジェクト２１を保持板１８、１９間に挟み付けた状態で、蝶ナット２０が支軸１５に捩じ込まれ、締め付けられる。これにより、オブジェクト２１は、保持板１８、１９間に圧接・挟持され、安定的に固定される。また、オブジェクト２１の交換時は、蝶ナット２０が外される。
【００３１】
次に、オブジェクト２１を保持板１８、１９間に挟持した状態で、回転補助部１４の周面を指で押えながら、回転補助部１４を周方向に回転すると、保持板１８、１９が回転し、オブジェクト２１が回転する。
【００３２】
その際、オブジェクト２１には、保持板１８、１９を介して外光が入射し、オブジェクト２１の模様２１ａは、平面鏡１２ａ、１２ｂの鏡面の間で幾重にも反射して写し出される。そして、オブジェクト２１の回転により、模様２１ａが変化し、この模様２１ａの変化が覗き孔１１ｂより観賞される。
【００３３】
オブジェクト２１の回転は、回転補助部１４の周面に有する角部１４ａに指を掛け、回転補助部１４の周方向に回転力を加えることで、スムーズに行われ、オブジェクト２１の回転停止時は、多角柱の面部１４ｂを指の腹で押さえることで、回転補助部１４の回転が止められる（図６参照）。
【００３４】
また、オブジェクト２１の回転は、オブジェクト２１自身に直接触れることなく、回転補助部１４を介して行われるので、オブジェクト２１の繰り返し使用によるゆがみ等の変形や損傷が防止される。
オブジェクト２１は、薄紙からなるので、模様２１ａが直接印刷あるいはラミネート形式等で容易に加工でき、様々な模様２１ａのオブジェクト２１が低コストで提供される。
【００３５】
また、オブジェクト２１は、透光性を有し、保持板１８、１９間に挟持できるものであれば、形状や厚さに制約されることなく、特別の加工を施すこともなく得られる。よって、オブジェクト２１の選択自由度が大となり、多種多彩な映像を見ることができる。
【００３６】
オブジェクト２１は、蝶ナット２０の脱着により容易に交換され、オブジェクト２１として、異なる種類のものを複数用意して、適宜交換して使用すれば、別々の配色パターンや色彩模様の映像美を楽しむことができる。
【００３７】
以上、本考案の実施の形態の万華鏡について詳述したが、本考案は、上記実施の形態記載の万華鏡に限定されるものではなく、本考案の実用新案登録請求の範囲に記載されている考案の精神を逸脱しない範囲で、設計において種々の変更ができるものである。
【００３８】
例えば、万華鏡本体１１の形状は、中空四角柱形に限らず、三角および五角以上の中空多面柱形または円筒形でもよい。
また、鏡筒１２は、断面形状が二等辺三角形である必要はなく、正三角形、正四角形、各辺の長さが異なるものであってもよい。
【００３９】
また、図７に示すように、透光性を有する保持板２４の中心に穿設された軸孔２４ａに捩子部２４ｂを螺設し、支軸１５を軸孔２４ａに貫通・螺合させ、保持板２４の捩子による進退移動により、オブジェクト２１を挟持してもよい。この場合、蝶ナット２０を不要とすることができ、部品点数が削減する。
【産業上の利用可能性】
【００４０】
本考案に係る万華鏡は、一端から模様を観賞するようにした万華鏡として有用である。
【符号の説明】
【００４１】
１  万華鏡
１１  万華鏡本体
１１ａ  開口部
１１ｂ  覗き孔
１２  鏡筒
１２ａ、１２ｂ  平面鏡
１３  切欠き部
１４  回転補助部
１４ａ  角部
１４ｂ  面部
１５  支軸
１５ａ、２４ｂ  捩子部
１５ｂ  尖端部
１６  受穴
１７  六角ナット
１８、１９、２４  保持板
１８ａ、１９ａ、２４ａ  軸孔
２０  蝶ナット
２１  オブジェクト
２１ａ  模様
２２  平板
２３  凸レンズ
【図１】
0003177812.tif 000003
【図２】
0003177812.tif 000004
【図３】
0003177812.tif 000005
【図４】
0003177812.tif 000006
【図５】
0003177812.tif 000007
【図６】
0003177812.tif 000008
【図７】
0003177812.tif 000009